(57)【特許請求の範囲】
【請求項１】
ペン先の先端が直線状の切断部又は研磨部を有し、幅広であり、ペン先全体は剛直部分を形成するものであって、上記ペン先が、その外周に挿嵌されるＯリングを軸先端の筆先部内壁に当接させて支持されることにより、該ペン先を把持する軸の軸中心を中心として筆圧により回動自在としてなる筆記具。
【請求項２】
ペン先の先端が直線状の切断部又は研磨部を有し、幅広であり、ペン先全体は剛直部分を形成するものであって、上記ペン先が、その外周に挿嵌されるＯリングを軸先端の筆先部内壁に当接させて支持されることにより、該ペン先を把持する軸の中心軸に対し筆圧により左右に揺動自在としてなる筆記具。
【請求項３】
ペン先の先端が直線状の切断部又は研磨部を有し、幅広であり、ペン先全体は剛直部分を形成するものであって、上記ペン先はホルダーに保持され、該ホルダーが、その外周に挿嵌されるＯリングを軸先端の筆先部内壁に当接させて支持されることにより、該ホルダーを把持する軸の軸中心を中心として筆圧により回動自在としてなる筆記具。
【請求項４】
ペン先の先端が直線状の切断部又は研磨部を有し、幅広であり、ペン先全体は剛直部分を形成するものであって、上記ペン先はホルダーに保持され、該ホルダーが、その外周に挿嵌されるＯリングを軸先端の筆先部内壁に当接させて支持されることにより、該ホルダーを把持する軸の中心軸に対し筆圧により左右に揺動自在としてなる筆記具。
【請求項５】
インキを直接又は吸収体を用いて間接に貯溜し、かつ、先端にペン先を装着し、尾端を閉鎖するカートリッジを軸内に収容してなる請求項１、２、３又は４記載の筆記具。
【請求項６】
カートリッジの尾端外面と軸の尾端内面とを当接支承し、その当接部分の少なくとも一方を曲面としてなる請求項５記載の筆記具。
【発明の詳細な説明】
【０００１】
【発明の属する技術分野】
この発明は、筆記具特に繊維束を結束固結してペン先を形成し、これを先端において直線状の切断部又は研磨部を形成するいわゆるマーカーにおけるペン先保持部に関する。
【０００２】
【従来の技術】
従来、マーカーのペン先保持部は筆軸先端に嵌合固定し、これに比較的に硬度のあるペン先を保持して定規を介し、あるいは筆軸を把持するのみで描画するために用いられていた。
【０００３】
【発明が解決しようとする課題】
しかしながら、上記従来のものは、特にペン先が筆軸に対して固定されていたため、定規等を介して線を引くと、紙面の凹凸に対してペン先が微妙に作用し、あるいは、軸が手指の把持により僅かに回動して、相対的に描かれる線の幅が変化し、又はその線の濃淡、かすれ等の生じる問題点がある。
【０００４】
上記問題点を解決するため、ペン先を柔軟性あるものとし、ペン先を保持部内で揺動してインキの流出を促進するもの（例えば、実開平６−３２０８３号）又は、ペン先の紙面に接する角度を変化することにより常にペン先先端を紙面に接触させて一定間隔の描線をしようとするもの（例えば実開昭６３−１５６７９０号）等が提案されたが、前記実開平６−３２０８３号にあっては、ペン先が柔軟であり、単にペン先保持体の間隙内にペン先が線を描く方向に前後に揺動するだけであるから、インキの流出の促進を図ることができても、紙面の凹凸あるいは定規に沿って線を引く場合の軸の回動に対しては描く線に太細が発生して充分に対応ができないものであり、他方、実開昭６３−１５６７９０号のものは、ペン先先端の紙面への当接を図るだけであって軸の回動に対応することはできないから、依然として軸の回動あるいは揺動によるペン先の太細、かすれ等を改善することはできない。
【０００５】
そこで、この発明は上記のものを改良するものであり、マーカーの使用に当り、描線に太細等を生ずることなく又、インキ漏れのない筆記具を得ようとするものである。
【０００６】
【課題を解決するための手段】
そのために、この発明はペン先の先端が直線状の切断部又は研磨部を有し、幅広であり、ペン先全体が剛直部分を形成するものであって、上記ペン先が、その外周に挿嵌されるＯリングを軸先端の筆先部内壁に当接させて支持されることにより、該ペン先を把持する軸の軸中心を中心として筆圧により回動自在とあるいは、把持する軸の中心軸に対して筆圧により左右に揺動自在としてなるものである。
【０００７】
更には、ペン先はホルダーに保持され、ホルダーが軸に把持され、ペン先又はホルダー外周に挿嵌されるＯリングにより軸との間を気密状態が保持され、また、ペン先はカートリッジに装着して軸内に収容され、このカートリッジ尾端外面とこれに当接する軸尾端内面とは少なくとも一方が曲面としてなるものである。
【０００８】
【発明の実施の形態】
この発明は上記のように構成されるから、実施にあたり、紙面の凹凸部によりペン先が上下左右に振れ又は軸が指先の回動により描線に太細が生じることがあっても、これをペン先自体の回動又は揺動により吸収して、描線に太細あるいは濃淡等の生ずることがなく、かつ、その回動等をＯリングにより気密に円滑に行うことができ、カートリッジに収容することで、容易に交換をすることができる上、カートリッジの尾端を曲面で当接支承することにより軸に対するカートリッジの回動，揺動を円滑に行うことができるものである。
【０００９】
【実施例】
この発明を図面に示す実施例により更に詳細に説明する。図１は第１実施例であって、軸（１）内にペン芯（４）を介してペン先（２）を装着する形式のものであり、ペン芯（４）は蛇腹状に形成され、その間隙内にインキを保溜してその流出量を調整する。ペン芯（４）内に中継芯（３）を挿入し、この中継芯（３）の先端はペン先（２）後端に連結して、インキをペン先（２）先端に導出する。ペン先（２）はホルダー（６）に嵌挿され、ホルダー（６）は外周にＯリング（７）を装着し、Ｏリング（７）は軸（１）先端の筆先部（８）内壁に接し、ホルダー（６）を回動自在に支持するとともに、筆先部（８）内壁とホルダー（６）間を気密状態に保持する。（５）は軸（１）内のインキ貯溜部であり、インキを吸収体にあるいは吸収体を収容することなく貯溜し、中継芯（３）をへてペン先（２）内を通りペン先（２）先端に導出する。ペン先（２）は例えば繊維体を結束して固化し樹脂等により被覆し、剛直状態とするものであり、先端を直線状に切断して切断部を形成するか、又は、両側を研磨して先端に幅広の線状部を構成する。この直線部を描く方向に対して角度をもたせることにより、定規に沿い移動させて適宜幅の線を引くことができ、また、直線部の端縁により文字等を書くことができる。
【００１０】
第１実施例は上記のように構成されるから、描画にあたり、紙面上に凹凸がある場合、ペン先（２）が上下左右に踊り、描画する線等が乱れるおそれがあっても、ペン先（２）がホルダー（６）とともに筆先部（８）内で回動もしくは揺動し、その変動を吸収してしまうので、通常のように描線等ができるものであり、例え、把持する手指が回動しても、筆圧によりペン先（２）が紙面に押さえられているため把持する軸（１）が回動するにとどまり、ペン先（２）を動揺させることのない、しかも、ホルダー（６）と筆先部（８）は、Ｏリング（７）により回動（揺動）可能で密封状態に置かれるから、描線にあたってインキが漏出することがなく極めて快適に使用することができる。なお、図４に示すようにペン先（２）をホルダー（６）を介することなく、直接軸内壁との間にＯリング（７）により揺動あるいは回動自在に保持することができる。
【００１１】
図２は第２実施例であり、カートリッジ（８）を用い、その先端にホルダー（６）を形成し、これにペン先（２）を嵌合してなるものである。ペン先（２）は中継芯（３）を介してカートリッジ（８）のインキ貯溜部（５）に連通し、カートリッジ（８）の尾端（１５）は尾栓（１１）により閉鎖され、尾栓（１１）の外端面は当接曲面（１２）を形成する。当接曲面（１２）は軸尾端（１３）の軸（１）内に突出する当接曲面（１４）に当接し、カートリッジ（８）が軸（１）と関係なく回動又は揺動しても、その曲面（１２），（１４）によりその抵抗を減衰させる。カートジッジ（８）先端のホルダー（６）の外周には、第１実施例と同様、Ｏリング（７）を嵌着し、回動と気密状態を維持する。
【００１２】
第２実施例は上記の構成をもつので、描線に当り第１実施例と同じく、描線に太細、濃淡の生ずるおそれがなく、しかもカートリッジを用いているから、ペン先の交換が容易であり、一本の軸にたいし、各色のペン先を用意することができる。
【００１３】
更には、第２実施例におけるカートリッジ尾端の当接部分を図３に示すように平坦な当接面（１４’）としても、当接曲面（１２）と平坦面からなる当接面（１４’）により第２実施例と同様にペン先（２）による描線時の欠陥を防ぐことができる。
【００１４】
【発明の効果】
以上のとおりこの発明は、ペン先を軸に対して揺動又は回動することにより、軸と固定した場合に生ずる描線の太細あるいは濃淡の生ずるおそれを改善し、いわゆるマーカーの優位をより増大できる顕著な効果をもつものである。
【図面の簡単な説明】
【図１】  この発明の第１実施例の部分縦断面図である。
【図２】  この発明の第２実施例の縦断面図である。
【図３】  この発明の軸端の一部縦断面図である。
【図４】  この発明の第１実施例において、ペン先が直接に軸に保持されるものを示す縦断面図である。
【符号の説明】
１  軸
２  ペン先
３  中継芯
４  ペン芯
５  インキ貯溜部
６  ホルダー
７  Ｏリング
８  筆先部
９  キャップ
１０  クリップ
１１  尾栓
１２，１４  当接曲面
１３  軸尾栓
１５  カートリッジ尾端
【図１】
0004379755.tif 000002
【図２】
0004379755.tif 000003
【図３】
0004379755.tif 000004
【図４】
0004379755.tif 000005